(57)【要約】【課題】偏光板なしに外部光がタッチ電極に反射することを防止することができるタッチスクリーン一体型表示装置を得る。【解決手段】基板上に配置された有機発光素子層、有機発光素子層上に配置された複数のカラーフィルター、複数のカラーフィルター上に配置され、複数のカラーフィルターの境界部と重畳するように配置された第１タッチ電極と第２タッチ電極、および第１タッチ電極と第２タッチ電極上に配置され、第１タッチ電極および第２タッチ電極と重畳するように配置されたブラックマトリックスを備える。【選択図】図４
2018106699.tif 000002
【特許請求の範囲】
【請求項１】
基板上に配置された有機発光素子層と、
前記有機発光素子層上に配置された複数のカラーフィルターと、
前記複数のカラーフィルター上に配置され、前記複数のカラーフィルターの境界部と重畳する第１タッチ電極および第２タッチ電極と、
前記第１タッチ電極および前記第２タッチ電極上に配置され、前記第１タッチ電極および前記第２タッチ電極と重畳するブラックマトリックスと
を備えたタッチスクリーン一体型表示装置。
【請求項２】
前記複数のカラーフィルターが、第１色の物質を含む第１カラーフィルター、第２色の物質を含む第２カラーフィルター、第３色の物質を含む第３カラーフィルターを含むことを特徴とする請求項１に記載のタッチスクリーン一体型表示装置。
【請求項３】
前記第１カラーフィルター、前記第２カラーフィルター、前記第３カラーフィルターのうち、隣接する２つのカラーフィルターが、境界部で互いに重畳することを特徴とする請求項２に記載のタッチスクリーン一体型表示装置。
【請求項４】
前記第１カラーフィルター、前記第２カラーフィルター、前記第３カラーフィルターが、境界部ですべて重畳することを特徴とする請求項２に記載のタッチスクリーン一体型表示装置。
【請求項５】
前記有機発光素子層上に配置された封止層をさらに備え、
前記複数のカラーフィルターは、前記封止層に上に形成されることを特徴とする請求項１に記載のタッチスクリーン一体型表示装置。
【請求項６】
前記有機発光素子層が、
前記基板上に配置された第１電極と、
前記第１電極を区画するバンクと、
前記第１電極および前記バンク上に配置された有機発光層と、
前記有機発光層上に配置された第２電極とを有し、
前記ブラックマトリックスは、前記バンクと重畳し、前記バンクは、光を吸収する物質を含む請求項１に記載のタッチスクリーン一体型表示装置。
【請求項７】
前記バンクの幅が、前記ブラックマトリックスの幅と同じか大きいことを特徴とする請求項６に記載のタッチスクリーン一体型表示装置。
【請求項８】
前記第１カラーフィルター、前記第２カラーフィルター、前記第３カラーフィルター上に形成されたオーバーコート層をさらに含むことを特徴とする請求項２に記載のタッチスクリーン一体型表示装置。
【請求項９】
前記複数の第１タッチ電極および前記複数の第２タッチ電極が、前記カラーフィルターの上面に配置されることを特徴とする請求項１に記載のタッチスクリーン一体型表示装置。
【請求項１０】
前記複数の第１タッチ電極が、前記複数のカラーフィルター間の境界部分と第１方向に重畳するように配置され、
前記複数の第２タッチ電極は、前記複数のカラーフィルター間の境界部分と前記第１方向とは異なる第２方向に重畳するように配置されることを特徴とする請求項１に記載のタッチスクリーン一体型表示装置。
【請求項１１】
前記第１タッチ電極と前記第２タッチ電極との間に形成され、前記第１タッチ電極と前記第２タッチ電極上に形成された絶縁膜をさらに備えることを特徴とする請求項１に記載のタッチスクリーン一体型表示装置。
【請求項１２】
前記第１および第２タッチ電極が配置された層と異なる層に配置され、互いに隣接する第１タッチ電極をコンタクトホールを通じて電気的に接続するブリッジ電極をさらに有し、
前記ブリッジ電極は、前記第２タッチ電極と交差することを特徴とする請求項１１に記載のタッチスクリーン一体型表示装置。
【請求項１３】
前記ブラックマトリックスが、前記絶縁膜および前記ブリッジ電極上に配置されることを特徴とする請求項１２に記載のタッチスクリーン一体型表示装置。
【請求項１４】
前記カラーフィルターが、前記バンクと重畳する領域で互いに重畳するように配置されることを特徴とする請求項６に記載のタッチスクリーン一体型表示装置。
【請求項１５】
前記カラーフィルターが、透明有機膜を含むことを特徴とする請求項１に記載のタッチスクリーン一体型表示装置。
【請求項１６】
前記透明有機膜が、アクリル樹脂、エポキシ樹脂、フェノール樹脂、ポリアミド樹脂またはポリイミド樹脂からなることを特徴とする請求項１５に記載のタッチスクリーン一体型表示装置。
【請求項１７】
基板が、プラスチックフィルムまたはガラス基板であることを特徴とする請求項１に記載のタッチスクリーン一体型表示装置。
【請求項１８】
第１タッチ駆動部をさらに備え、
第１方向に延長される前記第１タッチ電極は、一端が第１タッチラインに接続し、前記第１タッチラインはパッドを通じて前記第１タッチ駆動部に接続することを特徴とする請求項１に記載のタッチスクリーン一体型表示装置。
【請求項１９】
第２タッチ駆動部をさらに備え、
第２方向に延長される前記第２タッチ電極は、一端が第２タッチラインに接続し、前記第２タッチラインはパッドを通じて前記第２タッチ駆動部に接続することを特徴とする請求項１８に記載のタッチスクリーン一体型表示装置。
【請求項２０】
前記第１タッチ電極が、前記第１タッチ駆動部から前記第１タッチラインを通じて駆動パルスの入力を受け、前記第２タッチ駆動部は、前記第２タッチ電極からタッチセンサの充電変化量の入力を受け、
前記タッチセンサは、前記第１タッチ電極と前記第２タッチ電極の交差部のそれぞれに配置されることを特徴とする請求項１９に記載のタッチスクリーン一体型表示装置。
【発明の詳細な説明】
【技術分野】
【０００１】
本発明は、タッチスクリーン一体型表示装置に関する。
【背景技術】
【０００２】
情報化社会が発展するにつれて、画像を表示するための表示装置への要求が様々な形で高まっている。これにより、最近では液晶表示装置（ＬＣＤ：Ｌｉｑｕｉｄ  Ｃｒｙｓｔａｌ  Ｄｉｓｐｌａｙ）、プラズマ表示装置（ＰＤＰ：Ｐｌａｓｍａ  Ｄｉｓｐｌａｙ  Ｐａｎｅｌ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ）などの様々な表示装置が活用されている。これらの中で、有機発光表示装置は、低電圧駆動が可能、かつ、薄型であり、視野角に優れて応答速度が速いという特徴がある。
【０００３】
有機発光表示装置は、有機発光素子をそれぞれ含む画素、および画素を定義するために画素を区画するバンクを備える。バンクは、画素定義膜としての役割をすることができる。有機発光素子は、アノード電極、正孔輸送層（ｈｏｌｅ  ｔｒａｎｓｐｏｒｔｉｎｇ  ｌａｙｅｒ）、有機発光層（ｏｒｇａｎｉｃ  ｌｉｇｈｔ  ｅｍｉｔｔｉｎｇ  ｌａｙｅｒ）、電子輸送層（ｅｌｅｃｔｒｏｎ  ｔｒａｎｓｐｏｒｔｉｎｇ  ｌａｙｅｒ）、およびカソード電極を備える。この場合には、アノード電極に高電圧が印加され、カソード電極に低電圧が印加されると、正孔と電子がそれぞれ正孔輸送層と電子輸送層とを通じて有機発光層に移動して、有機発光層で互いに結合して発光する。
【０００４】
有機発光素子が白色光を発光する場合には、赤色、緑色、および青色を実現するための赤色、緑色、および青色のカラーフィルターとカラーフィルターを分割するためのブラックマトリックスが必要である。有機発光素子は、有機発光表示装置の下部基板に形成され、カラーフィルターとブラックマトリックスは、有機発光表示装置の上部基板に形成される。そして、有機発光素子が形成された下部基板とカラーフィルターおよびブラックマトリックスが形成された上部基板とが、接着層によって合着する。
【０００５】
このような有機発光表示装置は、接着層によって厚さが厚くなり、結果的に有機発光素子とブラックマトリクスとの間の距離が、遠くなるという問題がある。これにより、有機発光表示装置は、以下のような問題が発生する。
【０００６】
図１Ａおよび図１Ｂは、有機発光素子とブラックマトリクスとの間の距離による混色発生と輝度視野角とを示す例示図である。
【０００７】
図１Ａは、有機発光素子２の有機発光層（ＯＬ）とブラックマトリックス（ＢＭ）との間の距離が「ａ」である場合における、有機発光素子２による混色発生と輝度視野角が示されている。図１Ｂは、有機発光素子２の有機発光層（ＯＬ）とブラックマトリックス（ＢＭ）との間の距離が「ｂ」である場合における、有機発光素子２による混色発生と輝度視野角が示されている。距離「ａ」は、距離「ｂ」よりも長い。有機発光素子２は、アノード電極（ＡＮＤ）、有機発光層（ＯＬ）、およびカソード電極（ＣＡＴ）を備える。
【０００８】
図１Ａおよび図１Ｂを参照すると、有機発光素子２の有機発光層（ＯＬ）とブラックマトリックス（ＢＭ）との間の距離が「ａ」である場合には、いずれか一つの画素の有機発光素子２から発光した光が、ブラックマトリックス（ＢＭ）によって遮断されずに、隣接する画素のカラーフィルター（ＣＦ）に進行するため、混色が発生する。しかしながら、有機発光素子２の有機発光層（ＯＬ）とブラックマトリックス（ＢＭ）との間の距離が「ｂ」である場合には、混色がほとんど発生しない。
【０００９】
また、有機発光素子２の有機発光層（ＯＬ）とブラックマトリックス（ＢＭ）との間の距離が「ａ」である場合には、有機発光素子２から発光した光が、第１角度（θ1）で出光する。一方、有機発光素子２の有機発光層（ＯＬ）とブラックマトリックス（ＢＭ）との間の距離が「ｂ」である場合には、有機発光素子２から発光した光が第１角度（θ1）よりも大きい第２角度（θ2）で出光する。
【００１０】
以上で説明したように、混色の発生を防止し、輝度視野角を広げるためには、有機発光素子２の有機発光層（ＯＬ）とブラックマトリックス（ＢＭ）との間の距離を減らす必要がある。
【００１１】
一方、最近の有機発光表示装置は、使用者のタッチを認識することができるタッチスクリーンパネルを含むタッチスクリーン一体型表示装置に形成されている。この場合には、有機発光表示装置は、タッチスクリーン装置としても機能することになる。
【００１２】
タッチスクリーン一体型表示装置は、タッチスクリーンパネル内にＴｘ電極とＲｘ電極が設けられている。そして、タッチスクリーン一体型表示装置は、外部から入射する光がＴｘ電極とＲｘ電極で反射して画質が低下することを防止するため、偏光板を設けている。この場合には、従来のタッチスクリーン一体型表示装置は、偏光板を設けることによってコストが増加し、厚さが厚くなるだけでなく、外部の光が偏光板に反射して、屋外で画面が鏡のように見えるなど、屋外における画像の視認性が低下するという問題が発生する。
【発明の概要】
【発明が解決しようとする課題】
【００１３】
本発明は、偏光板なしに、外部の光がタッチ電極に反射することを防止することができるタッチスクリーン一体型表示装置を提供することを目的とする。
【００１４】
また、カラーフィルターおよびタッチ電極を含みながら、厚さを最小限に抑えることができるタッチスクリーン一体型表示装置を提供する。
【００１５】
さらに、有機発光層とブラックマトリックスとの間の距離を最小化することができるタッチスクリーン一体型表示装置を提供する。
【課題を解決するための手段】
【００１６】
本発明に係るタッチスクリーン一体型表示装置は、基板上に配置された有機発光素子、有機発光素子上に配置された複数のカラーフィルター、複数のカラーフィルターの上に配置され、複数のカラーフィルターの境界部と重畳するように配置された第１タッチ電極と第２タッチ電極、および第１タッチ電極と第２タッチ電極上に配置され、第１タッチ電極および第２タッチ電極と重畳するよう配置されたブラックマトリックスを備える。
【００１７】
さらに、本発明に係るタッチスクリーン一体型表示装置は、基板上に配置された有機発光素子、有機発光素子上に配置され、第１色の物質を含む第１カラーフィルター、第２色の物質を含む第２カラーフィルター、第３色の物質を含む第３カラーフィルターを含む複数のカラーフィルター、および複数のカラーフィルター上に配置され、複数のカラーフィルターの境界部と重畳するように配置された第１タッチ電極および第２タッチ電極とを備える。第１、第２および第３カラーフィルターのうち少なくとも２つ以上は、境界部で重畳する。
【発明の効果】
【００１８】
本発明によれば、封止層上にカラーフィルター層を直接形成し、カラーフィルター層上にタッチセンシング層を直接形成することで、第１基板と第２基板の合着時に整列する必要がないため、接着層は、別途、必要としない。これにより、装置の厚さを減少させることができる。
【００１９】
また、封止層上にタッチセンシング層ではなく、カラーフィルター層を先に形成することで、有機発光層とカラーフィルターとの間の距離を最小限に抑えることができる。これにより、輝度視野角および色視野角を改善することができる。
【００２０】
さらに、第１および第２タッチ電極上にブラックマトリックスを配置することで、ブラックマトリックスを利用して、外部から入射する光が第１および第２タッチ電極に反射することを防止できる。これにより、偏光板を別途備える必要がなく、外光の反射を遮断することができるため、製造コストを削減することができると同時に、装置の厚さを減少させることができる。
【００２１】
また、カラーフィルター層上にタッチセンシング層を配置することで、タッチセンシング層の第１および第２タッチ電極と有機発光素子層の第１および第２電極との間の距離を確保することができる。これにより、タッチセンシング層の第１および第２タッチ電極と有機発光素子層の第１および第２電極との間の寄生容量によるノイズを低減することができる。
【００２２】
さらに、第１〜第３カラーフィルターの境界部には、少なくとも複数のカラーフィルターが重畳している。その結果、いずれかの画素の光が、隣接する画素のカラーフィルターに進入できるため、混色の発生を効果的に防止することができる。
【００２３】
また、第１〜第３カラーフィルターの境界部に、混色を防止するためのパターンを別途形成せずに、第１〜第３カラーフィルターのうち、二つ以上が重畳するように形成するだけで、混色の発生を防止する効果が期待できる。このことは、製造工程を別途追加する必要がないことを意味している。
【図面の簡単な説明】
【００２４】
【図１Ａ】有機発光素子とブラックマトリクスとの間の距離による混色の発生と輝度視野角を示す例示図である。
【図１Ｂ】有機発光素子とブラックマトリクスとの間の距離による混色の発生と輝度視野角を示す例示図である。
【図２】本発明に係るタッチスクリーン一体型表示装置を示す斜視図である。
【図３】本発明に係るタッチスクリーン一体型表示装置を示すブロック図である。
【図４】図２に示す表示パネルの片側を概略的に示す断面図である。
【図５】図４のタッチセンシング層の一例を示す平面図である。
【図６】図５のＩ−Ｉ’線に沿った断面を示す図である。
【図７】図５のＩＩ−ＩＩ’線に沿った断面を示す図である。
【図８】図５のＩ−Ｉ’線に沿った図６とは異なる断面を示す図である。
【図９】図４のタッチセンシング層の他の例を示す平面図である。
【図１０】図９のＩＩＩ−ＩＩＩ’線に沿った断面を示す図である。
【図１１】図９のＩＶ−ＩＶ’線に沿った断面を示す図である。
【発明を実施するための形態】
【００２５】
本発明の利点および特徴、そしてそれらを達成する方法は、添付の図とともに詳細に後述する実施例を参照すると明確になるだろう。しかしながら、本発明は、以下で開示する実施例に限定されるものではなく、異なる多様な形態で実現されるものであり、単に本実施例は、本発明の開示を完全にし、本発明が属する技術分野で通常の知識を有する者に発明の範疇を完全に知らせるために提供するものであり、本発明は、請求項の範疇によってのみ定義される。
【００２６】
本発明の実施例を説明するために図で開示された形状、大きさ、比率、角度、数などは例示的なものであり、本発明は、図に示された事項に限定されるものではない。明細書全体にわたって、同一参照符号は同一の構成要素を指す。また、本発明を説明するにおいて、関連する公知技術に対する具体的な説明が、本発明の要旨を不必要に曖昧にすると判断された場合には、その詳細な説明は省略する。
【００２７】
本明細書で言及した、「備える」、「有する」、「からなる」などが使用されている場合は、「〜だけ」が使用されていない限り、他の部分を追加する。構成要素を単数で表現する場合に、特に、明示的な記載事項がない限り、複数の場合も含まれる。
【００２８】
構成要素を解釈するに当たり、別途、明示的な記載がなくても誤差の範囲を含むものと解釈する。
【００２９】
位置関係の説明である場合には、例えば、「〜上に」、「〜の上部に」、「〜の下部に」、「〜の隣に」など２つの部分の位置関係が説明されている場合には、「すぐに」または「直接」が使用されていない限り、二つの部分の間に１つ以上の他の部分が位置することもできる。
【００３０】
時間の関係に対する説明である場合には、例えば、「〜の後」、「〜に続いて」、「〜次に」、「〜前に」などで時間的前後関係が説明されている場合は、「すぐに」または「直接」が使用されていない限り連続していない場合も含むことができる。
【００３１】
第１、第２などがさまざまな構成要素を記述するために使用されるが、これらの構成要素はこれらの用語によって制限されない。これらの用語は、ただ一つの構成要素を他の構成要素と区別するために使用されるものである。したがって、以下に記載されている第１構成要素は、本発明の技術的思想内で第２構成要素であることもある。
【００３２】
「Ｘ軸方向」、「Ｙ軸方向」および「Ｚ軸方向」は、互いの関係が垂直方向からなる幾何学的な関係だけに解釈してはならず、本発明の構成は、機能的に作用することができる範囲内で、より広い方向性を有することを意味する。
【００３３】
「少なくとも一つ」の用語は、一つ以上の関連項目から提示可能なすべての組み合わせを含むものと理解されなければならない。たとえば、「第１項目、第２項目および第３項目のうち少なくとも一つ」の意味は、第１項目、第２項目または第３項目のそれぞれのみならず、第１項目、第２項目および第３項目の中で２つ以上から提示することができるすべての項目の組み合わせを意味する。
【００３４】
本発明のいくつかの実施例のそれぞれの特徴が、部分的または全体的に互いに結合または組み合わせ可能で、技術的に様々な連動と駆動が可能であり、各実施例が互いに独立して実施可能であり、連関関係で一緒に実施することもできる。
【００３５】
以下、添付の図を参照して、本発明の好ましい実施例を詳細に説明する。
【００３６】
図２は、本発明に係るタッチスクリーン一体型表示装置を示す斜視図である。図３は、本発明に係るタッチスクリーン一体型表示装置を示すブロック図である。
【００３７】
図２および図３を参照すると、本発明に係るタッチスクリーン一体型表示装置は、表示パネル１１０、スキャン駆動部１２０、データ駆動部１３０、タイミングコントローラー１６０、ホストシステム１７０、タッチ駆動部１８０、およびタッチ座標算出部１９０を備える。
【００３８】
本発明に係るタッチスクリーン一体型表示装置は、液晶表示装置（ＬＣＤ：Ｌｉｑｕｉｄ  Ｃｒｙｓｔａｌ  Ｄｉｓｐｌａｙ）、電界放出表示装置（ＦＥＤ：Ｆｉｅｌｄ  Ｅｍｉｓｓｉｏｎ  Ｄｉｓｐｌａｙ）、プラズマ表示装置（ＰＤＰ：Ｐｌａｓｍａ  Ｄｉｓｐｌａｙ  Ｐａｎｅｌ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ）、電気泳動表示装置（ＥＰＤ：Ｅｌｅｃｔｒｏｐｈｏｒｅｓｉｓ）などの平板表示装置として実装される。以下の実施例では、本発明の実施例に係るタッチスクリーン一体型表示装置が、有機発光表示装置に実装された例を中心に説明するが、これに限定されないことに注意しなければならない。
【００３９】
表示パネル１１０は、第１基板１１１と第２基板１１２とを備える。第２基板１１２は、封止基板であり得る。第１基板１１１は、プラスチックフィルム（ｐｌａｓｔｉｃ  ｆｉｌｍ）またはガラス基板（ｇｌａｓｓ  ｓｕｂｓｔｒａｔｅ）であり得る。第２基板１１２は、プラスチックフィルム、ガラス基板、または封止フィルム（保護フィルム）であり得る。
【００４０】
表示パネル１１０は、画素（Ｐ）が設けられ画像を表示する領域である表示領域を備える。表示パネル１１０には、データライン（Ｄ１〜Ｄｍ、ｍは２以上の正の整数）とスキャンライン（Ｓ１〜Ｓｎ、ｎは２以上の正の整数）が形成される。データライン（Ｄ１〜Ｄｍ）は、スキャンライン（Ｓ１〜Ｓｎ）と交差するように形成することができる。画素（Ｐ）は、ゲートラインとデータラインとの交差構造によって定義される領域に形成され得る。
【００４１】
表示パネル１１０の画素（Ｐ）のそれぞれは、データライン（Ｄ１〜Ｄｍ）のいずれかひとつとスキャンライン（Ｓ１〜Ｓｎ）のいずれかひとつとに、接続され得る。表示パネル１１０の画素（Ｐ）のそれぞれは、ゲート電極に印加されたデータ電圧に応じてドレイン・ソース間電流を調整する駆動トランジスタ（ｔｒａｎｓｉｓｔｏｒ）、スキャンラインのスキャン信号によってターンオンされ、データラインのデータ電圧を駆動トランジスタのゲート電極に供給するスキャントランジスタ、駆動トランジスタのドレイン・ソース間電流に応じて発光する有機発光ダイオード（ｏｒｇａｎｉｃ  ｌｉｇｈｔ  ｅｍｉｔｔｉｎｇ  ｄｉｏｄｅ）、および駆動トランジスタのゲート電極の電圧を保存するためのコンデンサ（ｃａｐａｃｉｔｏｒ）を含むことができる。これにより、画素（Ｐ）のそれぞれは、有機発光ダイオードに供給される電流に応じて発光することができる。
【００４２】
スキャン駆動部１２０は、タイミングコントローラー１６０からスキャン制御信号（ＧＣＳ）の入力を受ける。スキャン駆動部１２０は、スキャン制御信号（ＧＣＳ）に基づいてスキャン信号をスキャンライン（Ｓ１〜Ｓｎ）に供給する。
【００４３】
スキャン駆動部１２０は、表示パネル１１０の表示領域の片側または両側の外側の非表示領域にＧＩＰ（ｇａｔｅ  ｄｒｉｖｅｒ  ｉｎ  ｐａｎｅｌ）方式で形成され得る。または、スキャン駆動部１２０は、駆動チップに製作して軟性フィルムに実装してＴＡＢ（ｔａｐｅ  ａｕｔｏｍａｔｅｄ  ｂｏｎｄｉｎｇ）方式で表示パネル１１０の表示領域の片側または両側の外側の非表示領域に設けることもできる。
【００４４】
データ駆動部１３０は、タイミングコントローラー１６０からのデジタルビデオデータ（ＤＡＴＡ）とデータ制御信号（ＤＣＳ）との入力を受ける。データ駆動部１３０は、データ制御信号（ＤＣＳ）に基づいて、デジタルビデオデータ（ＤＡＴＡ）をアナログ正極性／負極性データ電圧に変換してデータラインに供給する。つまり、スキャン駆動部１２０のスキャン信号によって、データ電圧が供給される画素が選択され、選択された画素にデータ電圧が供給される。
【００４５】
データ駆動部１３０は、図２に示すように、複数のソースドライブＩＣ１３１を含むことができる。複数のソースドライブＩＣ１３１のそれぞれは、ＣＯＦ（ｃｈｉｐ  ｏｎ  ｆｉｌｍ）またはＣＯＰ（ｃｈｉｐ  ｏｎ  ｐｌａｓｔｉｃ）方式で軟性フィルム１４０に実装され得る。軟性フィルム１４０は、異方性導電フィルム（ａｎｔｉｓｏｔｒｏｐｉｃ  ｃｏｎｄｕｃｔｉｎｇ  ｆｉｌｍ）を利用して、表示パネル１１０の非表示領域に設けられたパッド上に付着し、これにより、複数のソースドライブＩＣ１３１は、パッドに接続することができる。
【００４６】
回路基板１５０は、軟性フィルム１４０に付着することができる。回路基板１５０は、駆動チップに実装された多数の回路が実装され得る。例えば、回路基板１５０には、タイミングコントローラー１６０が実装され得る。回路基板１５０は、プリント回路基板（ｐｒｉｎｔｅｄ  ｃｉｒｃｕｉｔ  ｂｏａｒｄ）またはフレキシブルプリント回路基板（ｆｌｅｘｉｂｌｅ  ｐｒｉｎｔｅｄ  ｃｉｒｃｕｉｔ  ｂｏａｒｄ）であり得る。
【００４７】
タイミングコントローラー１６０は、ホストシステム１７０からのデジタルビデオデータ（ＤＡＴＡ）とタイミング信号との入力を受ける。タイミング信号は、垂直同期信号（ｖｅｒｔｉｃａｌ  ｓｙｎｃｈｒｏｎｉｚａｔｉｏｎ  ｓｉｇｎａｌ）、水平同期信号（ｈｏｒｉｚｏｎｔａｌ  ｓｙｎｃｈｒｏｎｉｚａｔｉｏｎ  ｓｉｇｎａｌ）、データイネーブル信号（ｄａｔａ  ｅｎａｂｌｅ  ｓｉｇｎａｌ）、ドットクロック（ｄｏｔ  ｃｌｏｃｋ）などを含むことができる。垂直同期信号は、１フレーム期間を定義する信号である。水平同期信号は、表示パネル（ＤＩＳ）の１水平ラインの画素にデータ電圧を供給するのに必要な１水平期間を定義する信号である。データイネーブル信号は、有効なデータが入力される期間を定義する信号である。ドットクロックは、所定の短い周期で反復する信号である。
【００４８】
タイミングコントローラー１６０は、スキャン駆動部１２０とデータ駆動部１３０との動作タイミングを制御するためには、タイミング信号に基づいて、データ駆動部１３０の動作タイミングを制御するためのデータ制御信号（ＤＣＳ）とスキャン駆動部１２０の動作タイミングを制御するためのスキャン制御信号（ＧＣＳ）を発生する。タイミングコントローラー１６０は、スキャン駆動部１２０にスキャン制御信号（ＧＣＳ）を出力し、データ駆動部１３０にデジタルビデオデータ（ＤＡＴＡ）とデータ制御信号（ＤＣＳ）を出力する。
【００４９】
ホストシステム１７０は、ナビゲーションシステム、セットトップボックス、ＤＶＤプレーヤー、ブルーレイプレーヤー、パーソナルコンピュータ（ＰＣ）、ホームシアターシステム、放送受信機、携帯電話システム（ｐｈｏｎｅ  ｓｙｓｔｅｍ）などに実装され得る。ホストシステム１７０は、スケーラー（ｓｃａｌｅｒ）を内蔵したＳｏＣ（Ｓｙｓｔｅｍ  ｏｎ  Ｃｈｉｐ）を含む入力映像のデジタルビデオデータ（ＤＡＴＡ）を、表示パネル１１０に表示するのに適した形式に変換する。ホストシステム１７０は、デジタルビデオデータ（ＤＡＴＡ）とタイミング信号をタイミングコントローラー１６０に伝送する。
【００５０】
表示パネル１１０には、データライン（Ｄ１〜Ｄｍ）とスキャンライン（Ｓ１〜Ｓｎ）以外に、第１および第２タッチ電極が形成され得る。第１タッチ電極は、第２タッチ電極と交差するように形成され得る。第１タッチ電極は、第１タッチライン（Ｔ１〜Ｔｊ、ｊは２以上の正の整数）を通じて、第１タッチ駆動部１８１に接続することができる。第２タッチ電極は、第２タッチライン（Ｒ１〜Ｒｉ、ｉは２以上の正の整数）を通じて第２タッチ駆動部１８２に接続することができる。第１タッチ電極と第２タッチ電極との交差部のそれぞれには、タッチセンサが形成され得る。本発明の実施例では、タッチセンサが相互容量（ｍｕｔｕａｌ  ｃａｐａｃｉｔａｎｃｅ）で実装された例を例示したが、これに限定されないことに注意しなければならない。第１および第２タッチ電極の詳細な説明は、図５と一緒に後述する。
【００５１】
タッチ駆動部１８０は、第１タッチライン（Ｔ１〜Ｔｊ）を通じて、第１タッチ電極に駆動パルスを供給し、第２タッチライン（Ｒ１〜Ｒｉ）を通じてタッチセンサのそれぞれの占める変化量をセンシングする。すなわち、図３は、第１タッチライン（Ｔ１〜Ｔｊ）が駆動パルスを供給するＴｘラインであり、第２タッチライン（Ｒ１〜Ｒｉ）がタッチセンサそれぞれの占める変化量をセンシングするＲｘラインであることを中心に説明した。
【００５２】
タッチ駆動部１８０は、第１タッチ駆動部１８１、第２タッチ駆動部１８２、およびタッチコントローラー１８３を備える。第１タッチ駆動部１８１、第２タッチ駆動部１８２、およびタッチコントローラー１８３は、一つのＲＯＩＣ（Ｒｅａｄ−ｏｕｔ  ＩＣ）内に集積され得る。
【００５３】
第１タッチ駆動部１８１は、タッチコントローラー１８３の制御下に駆動パルスを出力する第１タッチラインを選択して、選択された第１タッチラインに駆動パルスを供給する。例えば、第１タッチ駆動部１８１は、第１タッチライン（Ｔ１〜Ｔｊ）に順次駆動パルスを供給することができる。
【００５４】
第２タッチ駆動部１８２は、タッチコントローラー１８３の制御下にタッチセンサの占める変化量を受信する第２タッチラインを選択して、選択された第２タッチラインを通じてタッチセンサの占める変化量を受信する。第２タッチ駆動部１８２は、第２タッチライン（Ｒ１〜Ｒｉ）を通じて受信されたタッチセンサの占める変化量をサンプリングしてデジタルデータであるタッチローデータ（ＴＲＤ：ｔｏｕｃｈ  ｒａｗ  ｄａｔａ）に変換する。
【００５５】
タッチコントローラー１８３は、第１タッチ駆動部１８１で駆動パルスが出力される第１タッチラインを設定するためのＴｘセットアップ信号と、第２タッチ駆動部１８２でタッチセンサ電圧を受信する第２タッチラインを設定するためのＲｘセットアップ信号を発生することができる。また、タッチコントローラー１８３は、第１タッチ駆動部１８１と第２タッチ駆動部１８２との動作タイミングを制御するためのタイミング制御信号を発生する。
【００５６】
タッチ座標算出部１９０は、タッチ駆動部１８０からのタッチローデータ（ＴＲＤ）の入力を受ける。タッチ座標算出部１９０は、タッチ座標の算出方法に基づいて、タッチ座標（複数）を算出し、タッチ座標（複数）の情報を含むタッチ座標データ（ＨＩＤｘｙ）をホストシステム１７０に出力する。
【００５７】
タッチ座標算出部１９０は、ＭＣＵ（ＭＣＵ：Ｍｉｃｒｏ  Ｃｏｎｔｒｏｌｌｅｒ  Ｕｎｉｔ）で実装され得る。ホストシステム１７０は、タッチ座標算出部１９０から入力するタッチ座標データ（ＨＩＤｘｙ）を分析して、使用者によってタッチが発生した座標と連携した応用プログラム（ａｐｐｌｉｃａｔｉｏｎ  ｐｒｏｇｒａｍ）を実行する。ホストシステム１７０は、実行された応用プログラムに応じて、デジタルビデオデータ（ＤＡＴＡ）とタイミング信号をタイミングコントローラー１６０に伝送する。
【００５８】
タッチ駆動部１８０は、ソースドライブＩＣ１３１に含むか、または別途の駆動チップに製作して回路基板１５０上に実装し得る。また、タッチ座標算出部１９０は、駆動チップに製作して回路基板１５０上に実装し得る。
【００５９】
図４は、図２の表示パネルの片側を概略的に示す断面図である。
【００６０】
図４を参照すると、表示パネル１１０は、第１基板１１１、第２基板１１２、第１および第２基板１１１、１１２の間に配置された薄膜トランジスタ層１０、有機発光素子層２０、封止層３０、カラーフィルター層４０およびタッチセンシング層５０を含むことができる。
【００６１】
第１基板１１１は、プラスチックフィルムまたはガラス基板であり得る。
【００６２】
第１基板１１１上に薄膜トランジスタ層１０が形成される。薄膜トランジスタ層１０は、スキャンライン、データライン、および薄膜トランジスタを含むことができる。薄膜トランジスタの各々は、ゲート電極、半導体層、ソースおよびドレイン電極を備える。スキャン駆動部がＧＩＰ（ｇａｔｅ  ｄｒｉｖｅｒ  ｉｎ  ｐａｎｅｌ）方式で形成される場合には、スキャン駆動部は、薄膜トランジスタ層１０と一緒に形成することができる。
【００６３】
薄膜トランジスタ層１０上には、有機発光素子層２０が形成される。有機発光素子層２０は、第１電極、有機発光層、第２電極、およびバンクを備える。有機発光層の各々は、正孔輸送層（ｈｏｌｅ  ｔｒａｎｓｐｏｒｔｉｎｇ  ｌａｙｅｒ）、発光層（ｏｒｇａｎｉｃ  ｌｉｇｈｔ  ｅｍｉｔｔｉｎｇ  ｌａｙｅｒ）、および電子輸送層（ｅｌｅｃｔｒｏｎ  ｔｒｒａｎｓｐｏｒｔｉｎｇ  ｌａｙｅｒ）を含むことができる。この場合には、第１電極と第２電極に電圧が印加されると、正孔と電子がそれぞれ正孔輸送層と電子輸送層を通じて発光層に移動し、発光層で互いに結合して発光するようになる。有機発光素子層２０が形成された領域には、画素が設けられるため、有機発光素子層２０が形成された領域は、表示領域と定義することができる。表示領域の周辺領域は、非表示領域として定義することができる。
【００６４】
有機発光素子層２０上には、封止層３０が形成される。封止層３０は、有機発光素子層２０に酸素または水分が浸透することを防止する役割をする。封止層３０は、少なくとも一つの無機膜を含むことができる。
【００６５】
封止層３０上には、カラーフィルター層４０が形成される。カラーフィルター層４０は、互いに異なる透過波長範囲を有する複数のカラーフィルターを含むことができる。ここで、複数のカラーフィルターの各々は、有機発光素子層２０に設けられた画素のそれぞれと対応するように配置することができる。
【００６６】
カラーフィルター層４０上には、タッチセンシング層５０が形成される。タッチセンシング層５０は、使用者のタッチをセンシングするための第１および第２タッチ電極を備える。また、タッチセンシング層５０は、外部から入射する光が第１および第２タッチ電極に反射することを防止するために、第１および第２タッチ電極上に配置されたブラックマトリックスをさらに含む。タッチセンシング層５０の平面構造は、図５と一緒に後述する。タッチセンシング層５０の断面構造は、図６および図７とともに後述する。
【００６７】
タッチセンシング層５０上には、第２基板１１２が形成される。第２基板１１２は、第１基板１１１を覆うカバー（ｃｏｖｅｒ）基板またはカバーウィンドウ（ｗｉｎｄｏｗ）のような役割をする。第２基板１１２は、プラスチックフィルム、ガラス基板または封止フィルム（保護フィルム）であり得るが、これに限定されない。第２基板１１２は、輝度向上フィルム（ＯＴＦ：Ｏｌｅｄ  Ｔｒａｎｓｍｉｔｔａｎｃｅ  Ｃｏｎｔｒｏｌｌａｂｌｅ  Ｆｉｌｍ）のような光学フィルムであり得る。
【００６８】
図５は、図４のタッチセンシング層の一例を示す平面図である。
【００６９】
図５を参照すると、タッチセンシング層５０は、第１タッチ電極（ＴＥ）および第２タッチ電極（ＲＥ）を含む。第１タッチ電極（ＴＥ）は、第１方向（ｘ軸方向）に延長され、ライン形状を有し、第２タッチ電極（ＲＥ）は、第２方向（ｙ軸方向）に延長され、ライン形状を有する。第１方向（ｘ軸方向）は、スキャンライン（Ｓ１〜Ｓｎ）と平行な方向であり、第２方向（ｙ軸方向）は、データライン（Ｄ１〜Ｄｍ）と平行な方向であり得る。または、第１方向（ｘ軸方向）は、データライン（Ｄ１〜Ｄｍ）と平行な方向であり、第２方向（ｙ軸方向）は、スキャンライン（Ｓ１〜ＳｎSn）と平行な方向であり得る。
【００７０】
一方、第１タッチ電極（ＴＥ）および第２タッチ電極（ＲＥ）の間には、絶縁膜が配置され、第１タッチ電極（ＴＥ）と第２タッチ電極（ＲＥ）は、電気的に絶縁される。また、第１方向に延長された第１タッチ電極（ＴＥ）のそれぞれは、第２方向に隣接する第１タッチ電極（ＴＥ）と電気的に絶縁される。第２方向に延長された第２タッチ電極（ＲＥ）のそれぞれは、第１方向に隣接する第２タッチ電極（ＲＥ）と電気的に絶縁される。
【００７１】
これにより、第１タッチ電極（ＴＥ）と第２タッチ電極（ＲＥ）の交差領域には、タッチセンサに対応する相互容量（ｍｕｔｕａｌ  ｃａｐａｃｉｔａｎｃｅ）が形成され得る。
【００７２】
第１方向に延長された第１タッチ電極（ＴＥ）は、一側端で第１タッチライン（ＴＬ）と接続することができる。第１タッチライン（ＴＬ）は、パッド（ＰＡＤ）を通じて第１タッチ駆動部１８１に接続することができる。したがって、第１タッチ電極（ＴＥ）は、第１タッチライン（ＴＬ）を通じて、第１タッチ駆動部１８１から駆動パルスの入力を受けることができる。
【００７３】
第２方向に延長された第２タッチ電極（ＲＥ）は、一側端で第２タッチライン（ＲＬ）と接続することができる。第２タッチライン（ＲＬ）は、パッド（ＰＡＤ）を通じて第２タッチ駆動部１８２に接続することができる。したがって、第２タッチ駆動部１８２は、第２タッチ電極（ＲＥ）のタッチセンサの占める変化量の入力を受けることができる。
【００７４】
第1実施例
図６は、図５のＩ−Ｉ’線に沿った断面を示す図であり、図７は、図５のＩＩ−ＩＩ’線に沿った断面を示す図である。
【００７５】
図６および図５を参照すると、第１基板１１１上に薄膜トランジスタ層１０が形成される。薄膜トランジスタ層１０は、薄膜トランジスタ２１０、ゲート絶縁膜２２０、層間絶縁膜２３０、保護膜２４０、および平坦化膜２５０を備える。
【００７６】
第１基板１１１の一面上には、バッファ膜が形成される。バッファ膜は、透湿に脆弱な第１基板１１１を通じて浸透する水分から薄膜トランジスタ２１０と、有機発光素子２６０を保護するために、第１基板１１１の一面上に形成される。第１基板１１１の一面は、第２基板１１２と向き合う面であり得る。バッファ膜は、交互に積層された複数の無機膜にできる。たとえば、バッファ膜、シリコン酸化膜（ＳｉＯｘ）、シリコン窒化膜（ＳｉＮｘ）、ＳｉＯＮの中のいずれか一つ、または複数の無機膜が交互に積層された多重膜で形成することができる。バッファ膜は省略することもできる。
【００７７】
バッファ膜上には、薄膜トランジスタ２１０が形成される。薄膜トランジスタ２１０は、アクティブ層２１１、ゲート電極２１２、ソース電極２１４およびドレイン電極２１５を備える。図６は、薄膜トランジスタ２１０のゲート電極２１２がアクティブ層２１１の上部に位置する上部ゲート（トップゲート、ｔｏｐ  ｇａｔｅ）方式で形成されたものを例示したが、これに限定されないことに注意しなければならない。つまり、薄膜トランジスタ２１０は、ゲート電極２１２がアクティブ層２１１の下部に位置する下部ゲート（ボトムゲート、ｂｏｔｔｏｍ  ｇａｔｅ）方式またはゲート電極２１２がアクティブ層２１１の上部と下部の両方に位置するダブルゲート（ｄｏｕｂｌｅ  ｇａｔｅ）方式で形成され得る。
【００７８】
バッファ膜上には、アクティブ層２１１が形成される。アクティブ層２１１は、シリコン系半導体物質または酸化物系半導体物質で形成することができる。バッファ膜とアクティブ層２１１との間には、アクティブ層２１１に入射する外部光を遮断するための遮光層が形成され得る。
【００７９】
アクティブ層２１１上には、ゲート絶縁膜２２０が形成され得る。ゲート絶縁膜２２０は、無機膜、例えばシリコン酸化膜（ＳｉＯｘ）、シリコン窒化膜（ＳｉＮｘ）、またはそれらの多重膜で形成することができる。
【００８０】
ゲート絶縁膜２２０上には、ゲート電極２１２とゲートラインが形成され得る。ゲート電極２１２とゲートラインは、モリブデン（Ｍｏ）、アルミニウム（Ａｌ）、クロム（Ｃｒ）、金（Ａｕ）、チタニウム（Ｔｉ）、ニッケル（Ｎｉ）、ネオジム（Ｎｄ）および銅（Ｃｕ）の中のいずれか一つ、またはこれらの合金からなる単一層または多重層で形成され得る。
【００８１】
ゲート電極２１２とゲートライン上には、層間絶縁膜２３０が形成され得る。層間絶縁膜２３０は、無機膜、例えばシリコン酸化膜（ＳｉＯｘ）、シリコン窒化膜（ＳｉＮｘ）、またはそれらの多重膜で形成することができる。
【００８２】
層間絶縁膜２３０上には、ソース電極２１４、ドレイン電極２１５、およびデータラインが形成され得る。ソース電極２１４とドレイン電極２１５のそれぞれは、ゲート絶縁膜２２０と層間絶縁膜２３０とを貫通するコンタクトホールを通じて、アクティブ層２１１に接続され得る。ソース電極２１４、ドレイン電極２１５、およびデータラインはモリブデン（Ｍｏ）、アルミニウム（Ａｌ）、クロム（Ｃｒ）、金（Ａｕ）、チタニウム（Ｔｉ）、ニッケル（Ｎｉ）、ネオジム（Ｎｄ）および銅（Ｃｕ）の中のいずれか一つ、またはこれらの合金からなる単一層または多重層で形成され得る。
【００８３】
ソース電極２１４、ドレイン電極２１５、およびデータライン上には、薄膜トランジスタ２１０を絶縁するための保護膜２４０が形成され得る。保護膜２４０は、無機膜、例えばシリコン酸化膜（ＳｉＯｘ）、シリコン窒化膜（ＳｉＮｘ）、またはそれらの多重膜で形成することができる。
【００８４】
保護膜２４０上には、薄膜トランジスタ２１０に起因する段差を平坦にするための平坦化膜２５０が形成され得る。平坦化膜２５０は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）などの有機膜で形成され得る。
【００８５】
薄膜トランジスタ層１０上には、有機発光素子層２０が形成される。有機発光素子層２０は、有機発光素子２６０とバンク２７０を備える。
【００８６】
有機発光素子２６０とバンク２７０は、平坦化膜２５０上に形成される。有機発光素子は、第１電極２６１、有機発光層２６２、および第２電極２６３を備える。第１電極２６１は、アノード電極であり、第２電極２６３は、カソード電極であり得る。
【００８７】
第１電極２６１は、平坦化膜２５０上に形成され得る。第１電極２６１は、保護膜２４０と平坦化膜２５０とを貫通するコンタクトホールを通じて薄膜トランジスタ２１０のソース電極２１４に接続される。第１電極２６１は、アルミニウムとチタンの積層構造（Ｔｉ／Ａｌ／Ｔｉ）、アルミニウムとＩＴＯの積層構造（ＩＴＯ／Ａｌ／ＩＴＯ）、ＡＰＣ合金、およびＡＰＣ合金とＩＴＯの積層構造（ＩＴＯ／ＡＰＣ／ＩＴＯ）のような反射率の高い金属物質で形成することができる。ＡＰＣ合金は、銀（Ａｇ）、パラジウム（Ｐｄ）、および銅（Ｃｕ）の合金である。
【００８８】
バンク２７０は、画素（Ｐ１、Ｐ２、Ｐ３）を区画するために平坦化膜２５０上で第１電極２６１の端を覆うように形成され得る。つまり、バンク２７０は、画素（Ｐ１、Ｐ２、Ｐ３）を定義する画素定義膜としての役割をする。
【００８９】
画素（Ｐ１、Ｐ２、Ｐ３）のそれぞれは、アノード電極に対応する第１電極、有機発光層、およびカソード電極に対応する第２電極が順次積層され、第１電極からの正孔と第２電極からの電子が有機発光層で互いに結合して発光する領域を示す。ここで、第１画素（Ｐ１）は、赤色サブ画素と定義することができ、第２画素（Ｐ２）は、緑色サブ画素と定義することができ、第３画素（Ｐ３）は、青色サブ画素と定義することができる。そして、第１、第２および第３の画素（Ｐ１、Ｐ２、Ｐ３）は、一つの単位画素として定義することができる。しかし、本発明の実施例は、これに限定されず、白色サブ画素を追加で定義することもできる。
【００９０】
バンク２７０は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）などの有機膜で形成することができる。
【００９１】
一方、バンク２７０は、ブラックバンクであり得る。ブラックバンクは、光を吸収する物質で構成するか、光吸収剤が塗布されていて外部から流入した光を吸収することができる。ブラックバンクは、後述するブラックマトリックス（ＢＭ）と重畳するように配置され得る。ここで、ブラックバンクは、幅がブラックマトリックス（ＢＭ）と同一または大きく形成してブラックマトリックス（ＢＭ）に吸収されずに流入した光を吸収することができる。このようなブラックバンクは、黒色系の物質からなることができ、例えば、カーボン系のブラック顔料を含むことができる。
【００９２】
第１電極２６１とバンク２７０上には、有機発光層２６２が形成される。有機発光層２６２は、画素（Ｐ１、Ｐ２、Ｐ３）に共通的に形成される共通層であり、白色光を発光する白色発光層であり得る。この場合には、有機発光層２６２は、２スタック（ｓｔａｃｋ）以上のタンデム構造で形成することができる。スタックはそれぞれ、正孔輸送層（ｈｏｌｅ  ｔｒａｎｓｐｏｒｔｉｎｇ  ｌａｙｅｒ）、少なくとも一つの発光層（ｌｉｇｈｔ  ｅｍｉｔｔｉｎｇ  ｌａｙｅｒ）、および電子輸送層（ｅｌｅｃｔｒｏｎ  ｔｒａｎｓｐｏｒｔｉｎｇ  ｌａｙｅｒ）を含むことができる。
【００９３】
図６および図７は、有機発光層２６２が画素（Ｐ１、Ｐ２、Ｐ３）に共通に形成される共通層で示しているが、これに限定されない。他の一実施例において、有機発光層２６２は、赤色光を発光する赤色発光層、緑色光を発光する緑色発光層および青色光を発光する青色発光層を含むことができる。第１画素（Ｐ１）の第１電極２６１上には、赤色発光層が形成され得る。第２画素（Ｐ２）の第１電極２６１上には、緑色発光層が形成され得る。第３画素（Ｐ３）の第１電極２６１上には、青色発光層が形成され得る。この場合、赤色発光層、緑色発光層および青色発光層のそれぞれは、微細金属マスク（ＦＭＭ：Ｆｉｎｅ  Ｍｅｔａｌ  Ｍａｓｋ）を利用して蒸着することができる。
【００９４】
第２電極２６３は、有機発光層２６２上に形成される。第２電極２６３は、有機発光層２６２を覆うように形成され得る。第２電極２６３は、画素（ＲＰ、ＧＰ、ＢＰ、ＷＰ）に共通的に形成される共通層であり得る。
【００９５】
第２電極２６３は、光を透過させることができるＩＴＯ、ＩＺＯのような透明な金属物質（ＴＣＯ：Ｔｒａｎｓｐａｒｅｎｔ  Ｃｏｎｄｕｃｔｉｖｅ  Ｍａｔｅｒｉａｌ）、またはマグネシウム（Ｍｇ）、銀（Ａｇ）、またはマグネシウム（Ｍｇ）と銀（Ａｇ）の合金のような半透過金属物質（Ｓｅｍｉ−ｔａｎｓｍｉｓｓｉｖｅ  Ｃｏｎｄｕｃｔｉｖｅ  Ｍａｔｅｒｉａｌ）で形成され得る。第２電極２６３が、半透過金属物質で形成されている場合には、マイクロキャビティ（ｍｉｃｒｏ  ｃａｖｉｔｙ）によって出光効率が高くなり得る。第２電極２６３上には、キャッピング層（ｃａｐｐｉｎｇ  ｌａｙｅｒ）が形成され得る。
【００９６】
有機発光素子層２０上には、封止層３０が形成される。封止層３０は、封止膜２８０を備える。
【００９７】
具体的には、第２電極２６３上には、封止膜２８０が配置される。封止膜２８０は、有機発光層２６２と第２電極２６３とに、酸素または水分が浸透することを防止する役割をする。このため、封止膜２８０は、少なくとも一つの無機膜と少なくとも一つの有機膜とを有している。例えば、封止膜２８０は、第１無機膜２８１、有機膜２８２、および第２無機膜２８３とを備えることができる。
【００９８】
第２電極２６３上には、第１無機膜２８１が配置され得る。第１無機膜２８１は、第２電極２６３を覆うように形成され得る。第１無機膜２８１上に有機膜２８２が配置され得る。有機膜２８２は、異物（ｐａｒｔｉｃｌｅｓ）が第１無機膜２８１を突破し、有機発光層２６２と第２電極２６３へ混入することを防止するために十分な厚さで形成される。このような有機膜２８２は、パッド（ＰＡＤ）を覆わないようにダム（図示せず）によって遮断され得る。有機膜２８２上には、第２無機膜２８３が配置され得る。第２無機膜２８３は、有機膜２８２を覆うように形成され得る。
【００９９】
第１および第２無機膜２８１、２８３のそれぞれは、シリコン窒化物、窒化アルミニウム、ジルコニウム窒化物、チタン窒化物、ハフニウム窒化物、タンタル窒化物、シリコン酸化物、アルミニウム酸化物、または酸化チタンで形成され得る。有機膜２８２は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）またはポリイミド樹脂（ｐｏｌｙｉｍｉｄｅ  ｒｅｓｉｎ）で形成され得る。
【０１００】
封止層３０上には、カラーフィルター層４０が形成される。カラーフィルター層４０は、第１〜第３カラーフィルター（ＣＦ１、ＣＦ２、ＣＦ３）とオーバーコート層２９０を備える。
【０１０１】
具体的には、封止膜２８０上に、異なる透過波長範囲を有する第１〜第３カラーフィルター（ＣＦ１、ＣＦ２、ＣＦ３）が配置される。第１カラーフィルター（ＣＦ１）は、第１画素（Ｐ１）に対応するように配置される赤色カラーフィルターであり、第２カラーフィルター（ＣＦ２）は、第２画素（Ｐ２）に対応するように配置される緑色カラーフィルターであり、第３カラーフィルター（ＣＦ３）は、第３画素（Ｐ３）に対応するように配置される青色カラーフィルターであり得る。このような場合には、第１カラーフィルター（ＣＦ１）は、赤色顔料を含む有機膜で形成され、第２カラーフィルター（ＣＦ２）は、緑色顔料を含む有機膜で形成され、第３カラーフィルター（ＣＦ３）は青色顔料を含む有機膜で形成することができる。
【０１０２】
図に示していないが、カラーフィルター層４０は、白色サブ画素に対応するように配置される透明有機膜をさらに含むことができる。ここで、透明有機膜は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）またはポリイミド樹脂（ｐｏｌｙｉｍｉｄｅ  ｒｅｓｉｎ）で形成され得る。
【０１０３】
第１〜第３カラーフィルター（ＣＦ１、ＣＦ２、ＣＦ３）上には、オーバーコート層（ｏｖｅｒｃｏａｔ  ｌａｙｅｒ）２９０が形成される。オーバーコート層２９０は、第１〜第３カラーフィルター（ＣＦ１、ＣＦ２、ＣＦ３）上に配置されて第１〜第３カラーフィルター（ＣＦ１、ＣＦ２、ＣＦ３）との間の段差を平坦化させる。
【０１０４】
カラーフィルター層４０上には、タッチセンシング層５０が形成される。タッチセンシング層５０は、第１タッチ電極（ＴＥ）、第２タッチ電極（ＲＥ）、ブラックマトリックス（ＢＭ）、第１絶縁膜（ＩＮＳ１）、第２絶縁膜（ＩＮＳ２）および第３絶縁膜（ＩＮＳ３）を備える。
【０１０５】
第１タッチ電極（ＴＥ）は、カラーフィルター層４０の上面に直接形成することができる。第１タッチ電極（ＴＥ）は、第１方向（ｘ軸方向）に、第１〜第３カラーフィルター（ＣＦ１、ＣＦ２、ＣＦ３）の境界部と重畳するように配置され得る。このような第１タッチ電極（ＴＥ）は、ＩＴＯ、ＩＺＯのような透明な金属物質はもちろん、Ａｌ、ＡｌＮｄ、Ｍｏ、ＭｏＴｉ、Ｃｕ、Ｃｒ、Ａｇ、Ａｇ系列の合金のような金属物質でも形成され得る。
【０１０６】
第１絶縁膜（ＩＮＳ１）は、第１タッチ電極（ＴＥ）を覆うように形成され得る。ここで、第１絶縁膜（ＩＮＳ１）は、第１タッチ電極（ＴＥ）の間に配置され得る。第１タッチ電極（ＴＥ）のそれぞれは、第１絶縁膜（ＩＮＳ１）によって互いに絶縁され得る。また、第１絶縁膜（ＩＮＳ１）は、第１タッチ電極（ＴＥ）の上に配置することができる。このような第１絶縁膜（ＩＮＳ１）は、無機膜、例えばシリコン酸化膜（ＳｉＯｘ）、シリコン窒化膜（ＳｉＮｘ）、またはそれらの多重膜で形成することができる。
【０１０７】
第２タッチ電極（ＲＥ）は、第１絶縁膜（ＩＮＳ１）上に形成され得る。第２タッチ電極（ＲＥ）は、第２方向（ｙ軸方向）に、第１〜第３カラーフィルター（ＣＦ１、ＣＦ２、ＣＦ３）の境界部と重畳するように配置され得る。また、第２タッチ電極（ＲＥ）は、第１絶縁膜（ＩＮＳ１）によって第１タッチ電極（ＴＥ）と絶縁され得る。このような第２タッチ電極（ＲＥ）は、ＩＴＯ、ＩＺＯのような透明な金属物質はもちろん、Ａｌ、ＡｌＮｄ、Ｍｏ、ＭｏＴｉ、Ｃｕ、Ｃｒ、Ａｇ、Ａｇ系列の合金のような金属物質でも形成され得る。
【０１０８】
第２絶縁膜（ＩＮＳ２）は、第２タッチ電極（ＲＥ）を覆うように形成され得る。ここで、第２絶縁膜（ＩＮＳ２）は、第２タッチ電極（ＲＥ）との間に配置され得る。第２タッチ電極（ＲＥ）のそれぞれは、第２絶縁膜（ＩＮＳ２）によって互いに絶縁され得る。また、第２絶縁膜（ＩＮＳ２）は、第２タッチ電極（ＲＥ）の上に配置され得る。このような第２絶縁膜（ＩＮＳ２）は、無機膜、例えばシリコン酸化膜（ＳｉＯｘ）、シリコン窒化膜（ＳｉＮｘ）、またはそれらの多重膜で形成することができる。図６および図７は、第２絶縁膜（ＩＮＳ２）を示しているが、第２絶縁膜（ＩＮＳ２）は省略することができる。
【０１０９】
第１タッチライン（ＴＬ）は、第１タッチ電極（ＴＥ）から延長され、第２タッチライン（ＲＬ）は、第２タッチ電極（ＲＥ）から延長され得る。第１および第２タッチライン（ＴＬ、ＲＬ）のそれぞれは、非表示領域に延長され、非表示領域のパッド（ＰＡＤ）に接続され得る。
【０１１０】
ブラックマトリックス（ＢＭ）は、第２絶縁膜（ＩＮＳ２）上に形成され得る。ブラックマトリックス（ＢＭ）は、第１方向（ｘ軸方向）に、第１タッチ電極（ＴＥ）と重畳するように配置され得る。また、ブラックマトリックス（ＢＭ）は、第２方向（ｙ軸方向）に、第２タッチ電極（ＲＥ）と重畳するように配置され得る。このように、ブラックマトリックス（ＢＭ）は、第１および第２タッチ電極（ＴＥ、ＲＥ）と重畳するように配置され、外部から入射する光が第１および第２タッチ電極（ＴＥ、ＲＥ）に反射することを防止する。さらに、ブラックマトリックス（ＢＭ）は、第１〜第３カラーフィルター（ＣＦ１、ＣＦ２、ＣＦ３）の境界部に重畳するように配置されて、隣接する画素において混色が発生することを防止する。
【０１１１】
これらのブラックマトリックス（ＢＭ）は、カーボン系のブラック顔料を含む有機膜で形成することができる。またはブラックマトリックス（ＢＭ）は、光吸収率が高いクロム（Ｃｒ）、モリブデン（Ｍｏ）、モリブデンとチタンとの合金（ＭｏＴｉ）、タングステン（Ｗ）、バナジウム（Ｖ）、ニオブ（Ｎｂ）、タンタル（Ｔａ）、マンガン（Ｍｎ）、コバルト（Ｃｏ）またはニッケル（Ｎｉ）のような不透明な金属物質で形成され得る。
【０１１２】
第３絶縁膜（ＩＮＳ３）は、ブラックマトリックス（ＢＭ）を覆うように形成され得る。これらの第３絶縁膜（ＩＮＳ３）は、無機膜、例えばシリコン酸化膜（ＳｉＯｘ）、シリコン窒化膜（ＳｉＮｘ）、またはそれらの多重膜で形成することができる。図６および図７は、第３絶縁膜（ＩＮＳ３）を示しているが、第３絶縁膜（ＩＮＳ３）は省略することができる。
【０１１３】
本発明の実施例は、封止層３０上にカラーフィルター層４０を直接形成する。そして、カラーフィルター層４０上にタッチセンシング層５０を直接形成する。その結果、第１基板１１１と第２基板１１２とを合着時に整列する必要がなく、接着層を別途設ける必要がない。これにより、本発明の実施例は、装置の厚さを減少させることができる。
【０１１４】
また、本発明の実施例は、封止層３０上にタッチセンシング層５０ではないカラーフィルター層４０を形成して有機発光層２６２と、第１〜第３カラーフィルター（ＣＦ１、ＣＦ２、ＣＦ３）間の距離を最小限に抑えることができる。これにより、本発明の実施例は、輝度視野角および色視野角を改善することができる。
【０１１５】
また、本発明の実施例は、第１および第２タッチ電極（ＴＥ、ＲＥ）の上にブラックマトリックス（ＢＭ）を配置することにより、ブラックマトリックス（ＢＭ）を利用して、外部から入射する光が、第１および第２タッチ電極（ＴＥ、ＲＥ）に反射することを防止することができる。これにより、本発明の実施例は、偏光板を別途備える必要がなく、外光の反射を遮断することができるため、製造コストを削減することができると同時に、装置の厚さを減少させることができる。
【０１１６】
また、本発明の実施例は、カラーフィルター層４０上にタッチセンシング層５０を配置することにより、タッチセンシング層５０の第１および第２タッチ電極（ＴＥ、ＲＥ）と有機発光素子層２０の第１および第２電極２６１、２６３間の距離を確保することができる。これにより、本発明の実施例は、タッチセンシング層５０の第１および第２タッチ電極（ＴＥ、ＲＥ）と有機発光素子層２０の第１および第２電極２６１、２６３間の寄生容量によるノイズを低減することができる。
【０１１７】
第２実施例
図８は、図５のＩ−Ｉ’線に沿った他の断面を示す図である。
【０１１８】
図８に示されたタッチスクリーン一体型表示装置は、第１〜第３カラーフィルター（ＣＦ１、ＣＦ２、ＣＦ３）が境界部で重畳していることを除いては、図６および図７において説明した場合と実質的に同一である。したがって、図６および図７に示された、第１基板１１１、第２基板１１２、薄膜トランジスタ層１０、有機発光素子層２０、封止層３０およびタッチセンシング層５０に対する詳細な説明は省略する。
【０１１９】
封止層３０上には、カラーフィルター層４０が形成される。カラーフィルター層４０は、第１〜第３カラーフィルター（ＣＦ１、ＣＦ２、ＣＦ３）およびオーバーコート層２９０を備える。
【０１２０】
具体的には、封止膜２８０上には、互いに異なる透過波長範囲を有する第１〜第３カラーフィルター（ＣＦ１、ＣＦ２、ＣＦ３）が配置される。第１カラーフィルター（ＣＦ１）は、第１画素（Ｐ１）に対応するように配置される赤色カラーフィルターであり、第２カラーフィルター（ＣＦ２）は、第２画素（Ｐ２）に対応するように配置される緑色カラーフィルターであり、第３カラーフィルター（ＣＦ３）は、第３画素（Ｐ３）に対応するように配置される青色カラーフィルターであり得る。このような場合、第１カラーフィルター（ＣＦ１）は、赤色顔料を含む有機膜で形成し、第２カラーフィルター（ＣＦ２）は、緑色顔料を含む有機膜で形成し、第３カラーフィルター（ＣＦ３）は青色顔料を含む有機膜で形成することができる。
【０１２１】
第１〜第３カラーフィルター（ＣＦ１、ＣＦ２、ＣＦ３）は、バンク２７０と重畳する領域、すなわち、境界部で重畳するように配置され得る。図８に示すように、第１〜第３カラーフィルター（ＣＦ１、ＣＦ２、ＣＦ３）の境界部には、第１〜第３カラーフィルター（ＣＦ１、ＣＦ２、ＣＦ３）が順番に積層され得る。ここで、境界部に積層された第１〜第３カラーフィルター（ＣＦ１、ＣＦ２、ＣＦ３）の積層順序は、第１〜第３カラーフィルター（ＣＦ１、ＣＦ２、ＣＦ３）の形成順序と関連がある。例えば、カラーフィルター層４０を、第１カラーフィルター（ＣＦ１）、第２カラーフィルター（ＣＦ２）、第３カラーフィルター（ＣＦ３）の順で形成する場合には、第１〜第３カラーフィルター（ＣＦ１、ＣＦ２、ＣＦ３）の境界部では、第１カラーフィルター（ＣＦ１）、第２カラーフィルター（ＣＦ２）、第３カラーフィルター（ＣＦ３）の順で重畳して形成され得る。
【０１２２】
一方、図８では、第１〜第３カラーフィルター（ＣＦ１、ＣＦ２、ＣＦ３）の境界部に、第１〜第３カラーフィルター（ＣＦ１、ＣＦ２、ＣＦ３）すべてが、重畳されていることを示しているが、これに限定されない。他の一実施例において、第１〜第３カラーフィルター（ＣＦ１、ＣＦ２、ＣＦ３）の境界部には、隣接する２つのカラーフィルターが重畳され得る。例えば、第１カラーフィルター（ＣＦ１）と第２カラーフィルター（ＣＦ２）の境界部には、第１カラーフィルター（ＣＦ１）および第２カラーフィルター（ＣＦ２）が重畳して形成され、第３カラーフィルター（ＣＦ３）は、重畳しないことがあり得る。
【０１２３】
上述したように、第１〜第３カラーフィルター（ＣＦ１、ＣＦ２、ＣＦ３）の境界部に、第１〜第３カラーフィルター（ＣＦ１、ＣＦ２、ＣＦ３）のうち少なくとも２以上を重畳するように配置することにより、いずれか一つの画素の光が隣接する画素のカラーフィルターに進んで混色が発生することを効果的に防止することができる。
【０１２４】
例えて説明すると、第１および第２カラーフィルター（ＣＦ１、ＣＦ２）の境界部に、赤色光を透過させる第１カラーフィルター（ＣＦ１）と緑色光を透過させる第２カラーフィルター（ＣＦ２）が順に重畳されている場合には、第１カラーフィルター（ＣＦ１）を透過した赤色光は、第２カラーフィルター（ＣＦ２）を透過できなくなり得る。これにより、第１画素（Ｐ１）の光は、第２画素（Ｐ２）に進むことができず、同様に、第２画素（Ｐ２）の光は、第１画素（Ｐ１）に進むことができなくなり得る。
【０１２５】
一方、図に示していないが、カラーフィルター層４０は、白色サブ画素に対応するように配置される透明有機膜をさらに含むことができる。ここで、透明有機膜アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）またはポリイミド樹脂（ｐｏｌｙｉｍｉｄｅ  ｒｅｓｉｎ）で形成され得る。
【０１２６】
第１〜第３カラーフィルター（ＣＦ１、ＣＦ２、ＣＦ３）上には、オーバーコート層（ｏｖｅｒｃｏａｔ  ｌａｙｅｒ）２９０が形成される。オーバーコート層２９０は、第１〜第３カラーフィルター（ＣＦ１、ＣＦ２、ＣＦ３）上に配置して，第１〜第３カラーフィルター（ＣＦ１、ＣＦ２、ＣＦ３）間の段差を平坦化させる。
【０１２７】
本発明の実施例は、第１〜第３カラーフィルター（ＣＦ１、ＣＦ２、ＣＦ３）の境界部に、第１〜第３カラーフィルター（ＣＦ１、ＣＦ２、ＣＦ３）のうち、二つ以上を重畳するように形成することで、いずれか一つの画素の光が隣接する画素のカラーフィルターに進んで、混色が発生することを効果的に防止することができる。
【０１２８】
また、本発明の実施例は、第１〜第３カラーフィルター（ＣＦ１、ＣＦ２、ＣＦ３）の境界部に、混色を防止するためのパターンを別途形成せずに、第１〜第３カラーフィルター（ＣＦ１、ＣＦ２、ＣＦ３）のうち、二つ以上を重畳するように形成するのみで、混色発生の防止効果を期待することができる。これにより、本発明の実施例は、製造工程を別途追加する必要がない。
【０１２９】
第３実施例
図９は、図４のタッチセンシング層の他の例を示す平面図である。図１０は、図９のＩＩＩ−ＩＩＩ’線に沿った断面を示す図であり、図１１は、図９のＩＶ−ＩＶ’線に沿った断面を示す図である。
【０１３０】
図９を参照すると、タッチセンシング層５０は、第１タッチ電極（ＴＥ）、第２タッチ電極（ＲＥ）およびブリッジ電極（ＢＥ）を備える。第１タッチ電極（ＴＥ）は、第１方向（ｘ軸方向）に配置されて相互に接続し、第２タッチ電極（ＲＥ）は、第２方向（ｙ軸方向）に配置されて相互に接続する。第１方向（ｘ軸方向）は、スキャンライン（Ｓ１〜Ｓｎ）と平行な方向であり、第２方向（ｙ軸方向）は、データライン（Ｄ１〜Ｄｍ）と平行な方向であり得る。または、第１方向（ｘ軸方向）は、データライン（Ｄ１〜Ｄｍ）と平行な方向であり、第２方向（ｙ軸方向）は、スキャンライン（Ｓ１〜Ｓｎ）と平行な方向であり得る。
【０１３１】
第１タッチ電極（ＴＥ）と第２タッチ電極（ＲＥ）は、それらが交差領域で互いに短絡することを防止するために、第１方向に互いに隣接し、第１タッチ電極（ＴＥ）は、ブリッジ電極（ＢＥ）を通じて電気的に接続することができる。ブリッジ電極（ＢＥ）は、第１および第２タッチ電極（ＴＥ、ＲＥ）と互いに異なる層に配置され、コンタクト部（ＣＴ）を通じて互いに隣接した第１タッチ電極（ＴＥ）に接続することができる。ブリッジ電極（ＢＥ）は、第２タッチ電極（ＲＥ）と交差することができる。
【０１３２】
第１方向に接続された第１タッチ電極（ＴＥ）のそれぞれは、第２方向に隣接する第１タッチ電極（ＴＥ）と電気的に絶縁されている。第２方向に接続された第２タッチ電極（ＲＥ）のそれぞれは、第１方向に隣接する第２タッチ電極（ＲＥ）と電気的に絶縁されている。
【０１３３】
これにより、第１タッチ電極（ＴＥ）と第２タッチ電極（ＲＥ）との交差領域には、タッチセンサに対応する相互容量（ｍｕｔｕａｌ  ｃａｐａｃｉｔａｎｃｅ）が形成され得る。
【０１３４】
第１方向に接続された第１タッチ電極（ＴＥ）は、一側端の第１タッチライン（ＴＬ）と接続することができる。第１タッチライン（ＴＬ）は、パッド（ＰＡＤ）を通じて第１タッチ駆動部１８１に接続することができる。したがって、第１タッチ電極（ＴＥ）は、第１タッチライン（ＴＬ）を通じて、第１タッチ駆動部１８１から駆動パルスの入力を受けることができる。
【０１３５】
第２方向に接続された第２タッチ電極（ＲＥ）は、一側端の第２タッチライン（ＲＬ）と接続することができる。第２タッチライン（ＲＬ）は、パッド（ＰＡＤ）を通じて第２タッチ駆動部１８２に接続することができる。したがって、第２タッチ駆動部１８２は、第２タッチ電極（ＲＥ）のタッチセンサが占める変化量の入力を受けることができる。
【０１３６】
図１０および図１１に示されたタッチスクリーン一体型表示装置は、第１タッチ電極（ＴＥ）がブリッジ電極（ＢＥ）を通じて互いに接続されることを除いては、図６および図７において説明したものと実質的に同一である。したがって、図６および図７に示された、第１基板１１１、第２基板１１２、薄膜トランジスタ層１０、有機発光素子層２０、封止層３０およびカラーフィルター層４０に対する詳細な説明は省略する。
【０１３７】
カラーフィルター層４０上には、タッチセンシング層５０が形成される。タッチセンシング層５０は、第１タッチ電極（ＴＥ）、第２タッチ電極（ＲＥ）、ブリッジ電極（ＢＥ）、ブラックマトリックス（ＢＭ）、第１絶縁膜（ＩＮＳ１）および第３絶縁膜（ＩＮＳ３）を備える。
【０１３８】
第１タッチ電極（ＴＥ）および第２タッチ電極（ＲＥ）は、カラーフィルター層４０の上面に直接形成することができる。第１タッチ電極（ＴＥ）は、第１方向（ｘ軸方向）に、第１〜第３カラーフィルター（ＣＦ１、ＣＦ２、ＣＦ３）の境界部と重畳するように配置され得る。第２タッチ電極（ＲＥ）は、第２方向（ｙ軸方向）に、第１〜第３カラーフィルター（ＣＦ１、ＣＦ２、ＣＦ３）の境界部と重畳するように配置され得る。このような第１および第２タッチ電極（ＴＥ、ＲＥ）は、ＩＴＯ、ＩＺＯのような透明な金属物質はもちろん、Ａｌ、ＡｌＮｄ、Ｍｏ、ＭｏＴｉ、Ｃｕ、Ｃｒ、Ａｇ、Ａｇ系列の合金のような金属物質でも形成することができる。
【０１３９】
第１タッチ電極（ＴＥ）、第２タッチ電極（ＲＥ）、第１タッチライン（ＴＬ）、および第２タッチライン（ＲＬ）は、同一な層に配置することができる。第１絶縁膜（ＩＮＳ１）は、第１タッチ電極（ＴＥ）、第２タッチ電極（ＲＥ）、第１タッチライン（ＴＬ）、および第２タッチライン（ＲＬ）を覆うように配置され得る。ここで、第１絶縁膜（ＩＮＳ１）は、第１タッチ電極（ＴＥ）のそれぞれと、第２タッチ電極（ＲＥ）のそれぞれとの間に配置され得る。第１タッチ電極（ＴＥ）のそれぞれは、第１絶縁膜（ＩＮＳ１）によって第２タッチ電極（ＲＥ）のそれぞれと絶縁され得る。また、第１絶縁膜（ＩＮＳ１）は、第１タッチ電極（ＴＥ）と第２タッチ電極（ＲＥ）の上に配置することができる。第２タッチ電極（ＲＥ）は、第１絶縁膜（ＩＮＳ１）によりブリッジ電極（ＢＥ）と絶縁することができる。このような第１絶縁膜（ＩＮＳ１）は、無機膜、例えばシリコン酸化膜（ＳｉＯｘ）、シリコン窒化膜（ＳｉＮｘ）、またはそれらの多重膜で形成することができる。
【０１４０】
第１タッチライン（ＴＬ）は、第１タッチ電極（ＴＥ）から延長され、第２タッチライン（ＲＬ）は、第２タッチ電極（ＲＥ）から延長され得る。第１および第２タッチライン（ＴＬ、ＲＬ）のそれぞれは、非表示領域に延長され、非表示領域のパッド（ＰＡＤ）に接続され得る。
【０１４１】
ブリッジ電極（ＢＥ）のそれぞれは、コンタクト部（ＣＴ）を通じて互いに隣接した第１タッチ電極（ＴＥ）と接続することができる。ブリッジ電極（ＢＥ）は、第２タッチ電極（ＲＥ）と交差することができる。ここで、コンタクト部（ＣＴ）は、第１絶縁膜（ＩＮＳ１）を貫通して形成され得る。
【０１４２】
ブラックマトリックス（ＢＭ）は、第１絶縁膜（ＩＮＳ１）およびブリッジ電極（ＢＥ）の上に形成され得る。ブラックマトリックス（ＢＭ）は、第１方向（ｘ軸方向）に、第１タッチ電極（ＴＥ）およびブリッジ電極（ＢＥ）と重畳するように配置され得る。また、ブラックマトリックス（ＢＭ）は、第２方向（ｙ軸方向）に、第２タッチ電極（ＲＥ）と重畳するように配置され得る。このように、ブラックマトリックス（ＢＭ）は、第１タッチ電極（ＴＥ）に、第２タッチ電極（ＲＥ）およびブリッジ電極（ＢＥ）と重畳するように配置され、外部から入射する光が第１タッチ電極（ＴＥ）、第２タッチ電極（ＲＥ）およびブリッジ電極（ＢＥ）で反射することを防止する。また、ブラックマトリックス（ＢＭ）は、第１〜第３カラーフィルター（ＣＦ１、ＣＦ２、ＣＦ３）の境界部に重畳するように配置され、隣接する画素において混色が発生することを防止する。
【０１４３】
このようなブラックマトリックス（ＢＭ）は、カーボン系のブラック顔料を含む有機膜で形成することができる。または、ブラックマトリックス（ＢＭ）は、光吸収率が高いクロム（Ｃｒ）、モリブデン（Ｍｏ）、モリブデンとチタンの合金（ＭｏＴｉ）、タングステン（Ｗ）、バナジウム（Ｖ）、ニオブ（Ｎｂ）、タンタル（Ｔａ）、マンガン（Ｍｎ）、コバルト（Ｃｏ）またはニッケル（Ｎｉ）のような不透明な金属物質で形成され得る。
【０１４４】
第３絶縁膜（ＩＮＳ３）は、ブラックマトリックス（ＢＭ）を覆うように形成され得る。このような第３絶縁膜（ＩＮＳ３）は、無機膜、例えばシリコン酸化膜（ＳｉＯｘ）、シリコン窒化膜（ＳｉＮｘ）、またはそれらの多重膜で形成することができる。図１０および図１１は、第３絶縁膜（ＩＮＳ３）を示しているが、第３絶縁膜（ＩＮＳ３）は省略することができる。
【０１４５】
本発明の実施例は、第１および第２タッチ電極（ＴＥ、ＲＥ）を同一な層に形成することにより、タッチセンシング層５０の厚さを最小限に抑えることができる。
【０１４６】
以上、添付された図を参照して、本発明の実施例をさらに詳細に説明したが、本発明は、必ずしもこのような実施例に限定されるわけではなく、本発明の技術思想を逸脱しない範囲内で多様に変形実施することができる。したがって、本発明に開示された実施例は、本発明の技術思想を限定するためのものではなく説明するためのものであり、このような実施例により、本発明の技術思想の範囲が限定されるものではない。したがって、以上で記述した実施例は、すべての面で例示的なものであり限定的ではないと理解しなければならない。本発明の保護範囲は、特許請求の範囲によって解釈されるべきであり、その同等の範囲内にあるすべての技術思想は、本発明の権利範囲に含まれるものと解釈されなければならない。
【符号の説明】
【０１４７】
１００  タッチスクリーン一体型表示装置、１１０  表示パネル、１１１  下部基板、１１２  上部基板、１２０  スキャン駆動部、１３０  データ駆動部、１３１  ソースドライブＩＣ、１４０  軟性フィルム、１５０  回路基板、１６０  タイミングコントローラー、１７０  ホストシステム、１８０  タッチ駆動、１８１  第１タッチ駆動部、１８２  第２タッチ駆動部、１８３  タッチコントローラー、１９０  タッチ座標算出部、１０  薄膜トランジスタ層、２０  有機発光素子層、３０  封止層、４０  カラーフィルター層、５０  タッチセンシング層、２１０  薄膜トランジスタ、２１１  アクティブ層、２１２  ゲート電極、２１４  ソース電極、２１５  ドレイン電極、２２０  ゲート絶縁膜、２３０  層間絶縁膜、２４０  保護膜、２５０  平坦化膜、２６０  有機発光素子、２６１  第１電極、２６２  有機発光層、２６３  第２電極。
【図１Ａ】
2018106699.tif 000003
【図１Ｂ】
2018106699.tif 000004
【図２】
2018106699.tif 000005
【図３】
2018106699.tif 000006
【図４】
2018106699.tif 000007
【図５】
2018106699.tif 000008
【図６】
2018106699.tif 000009
【図７】
2018106699.tif 000010
【図８】
2018106699.tif 000011
【図９】
2018106699.tif 000012
【図１０】
2018106699.tif 000013
【図１１】
2018106699.tif 000014